(57)【要約】      （修正有）【課題】確実にタバコの火を消すことができ、その上で、灰皿本体の掃除を容易とし、かつ悪臭の発生を抑制する。【解決手段】火消水を貯水する貯水槽４を有し、当該貯水槽４を、すくなくとも、その開口部２１を灰皿の外側に露出させる。【選択図】図２
0003103401.tif 000002
【実用新案登録請求の範囲】
【請求項１】
火消水を貯水する貯水槽を有し、当該貯水槽は、すくなくとも、その開口部が灰皿の外側に露出している灰皿。
【請求項２】
前記貯水槽が、着脱可能である請求項１に記載の灰皿。
【請求項３】
上方が開口された灰皿本体と、当該灰皿本体の開口部を閉鎖するとともに、灰皿本体と連通する火消し孔が複数開孔された閉鎖蓋とを備えた灰皿である請求項１または請求項２に記載の灰皿。
【請求項４】
前記貯水槽が、閉鎖蓋に備えられている請求項３に記載の灰皿。
【請求項５】
前記貯水槽が、閉鎖部に開孔された嵌合孔に着脱可能に嵌合されている請求項４に記載の灰皿。
【請求項６】
前記貯水槽の開口部縁には、外側へ張り出す鍔部が形成され、当該鍔部が嵌合孔周りに引っ掛かることによって、貯水槽が閉鎖部に保持されるようにしている請求項５に記載の灰皿。
【請求項７】
前記嵌合孔を、貯水槽における鍔部が嵌入し、鍔部上面と閉鎖部上面が同面となるような段部に設けてある請求項６に記載の灰皿。
【請求項８】
前記貯水槽には、把手が設けられている請求項２ないし請求項７いずれか１項に記載の灰皿。
【考案の詳細な説明】
【技術分野】
【０００１】
本考案は、灰皿に関し、詳しくは、主に仮設の喫煙場所において使用される灰皿に関する。
【背景技術】
【０００２】
従来の工事現場やイベント会場等の仮設の喫煙場所に設置される灰皿は、吸殻を収容する灰皿本体の上方に、当該灰皿本体と連通する火消し孔が複数開孔された閉鎖蓋を着脱可能に設けてなるものである。
【非特許文献１】アコムレンタル株式会社、［２００４年１月２５日検索］、［屋外用吸殻入れ］、インターネット、<http://www.acom-rental.com/scripts/2000_kensaku6.asp?PRCODE=239&prdatacode=1013012&previousprcode=238&nextprcode=246>
【考案の開示】
【考案が解決しようとする課題】
【０００３】
ところで、非特許文献１の灰皿における吸殻の処理方法は、（１）閉鎖蓋上でタバコの火をもみ消した後、吸殻を火消し孔から灰皿本体内に落として捨てる処理、（２）灰皿本体に火消し水を入れ、火のついたタバコを火消し孔から灰皿本体内に落として、灰皿本体内の水によってタバコの火を消すとともに、捨てる処理の２つの方法が用いられる。
しかしながら、（１）の処理方法では、タバコの火を確実に消さないと、捨てられたタバコの火が灰皿本体内で、既に捨てられた吸殻に燃え移って大量の煙が発生したり、炎が発生したりすることもあった。
また、（２）の処理方法では、タバコの火をもみ消さなくても灰皿本体内の水によって捨てられたタバコの火は消えるものの、灰皿本体内の吸殻が火を消すための水を吸ってしまい、後から捨てられるタバコの火を消せなくなってしまうことがあった。
さらに、灰皿本体内の吸殻を捨てる場合において、大量に水を吸った吸殻や灰がドロドロになったり、灰皿本体にこびりついたりしててしまうので、その清掃が極めて面倒なものであり、その上、水分を大量に吸った吸殻からの悪臭の発生ということもあった。
【０００４】
そこで、本考案は、確実にタバコの火を消すことができ、その上で、灰皿本体の掃除を容易とし、かつ悪臭の発生の抑制を課題とし、この課題を解決する灰皿の提供を目的とする。  
【課題を解決するための手段】
【０００５】
上記目的を達成するために本考案は、タバコの火を火消し水で消してからその吸殻を灰皿内に捨てることを可能とする技術的手段を採用した。
具体的には、火消水を貯水する貯水槽を有し、当該貯水槽は、すくなくとも、その開口部が灰皿の外側に露出している灰皿としたことである（請求項１）。
この場合、貯水槽内の火消し水の交換容易性の向上ということから、前記貯水槽を着脱可能とする（請求項２）ことが好ましい。
【０００６】
本考案は、上方が開口された灰皿本体と、当該灰皿本体の開口部を閉鎖するとともに、灰皿本体と連通する火消し孔が複数開孔された閉鎖蓋とを備えた灰皿（請求項３）に対して好適である。
この場合、貯水槽を備える位置は、灰皿の外側であればいずれの位置も含むが、貯水槽の視認性を高めて、喫煙者に当該貯水槽内の火消し水でタバコの火を消すことを促すということから、前記貯水槽を閉鎖蓋に備える（請求項４）ことが好ましい。
前記貯水槽を着脱可能に備えた灰皿である場合、火消し水の交換や貯水槽の掃除および交換等の作業容易性の向上ということから、前記貯水槽を閉鎖部に開孔された嵌合孔に着脱可能に嵌合する（請求項５）ことが好ましい。
貯水槽が着脱可能なものである場合、その着脱容易性の向上ということから、前記貯水槽の開口縁に、外側へ張り出す鍔部を形成し、当該鍔部を嵌合孔周りに引っ掛けることよって、貯水槽を閉鎖部に保持する（請求項６）構成が好ましい。
また、仕舞性の向上ということから、前記嵌合孔を、貯水槽における鍔部が嵌入し、鍔部上面と閉鎖部上面が同面となるような段部に設ける（請求項７）ことが好ましい。
そして、貯水槽の着脱容易性および運搬容易性の向上ということから、前記貯水槽に、把手を設ける（請求項８）ことが好ましい。
【考案の効果】
【０００７】
本考案によれば、貯水槽内の火消し水でタバコの火が消され、その後、灰皿本体内に火消し水によって確実に消火された吸殻が捨てられる。
このとき、前記貯水槽内の火消し水にタバコの火を漬ければほぼ一瞬で消化されるので、吸殻に吸収される水分は、ごく少量であり、しかも灰皿本体内に捨てられる吸殻は、吸収された水分の乾燥が速いため、灰皿内が吸殻や灰でドロドロ状にならない。
また、前記の貯水槽内の火消し水でタバコの火が消されるので、灰皿本体内には、火消し水を入れる必要が無い。
したがって、確実にタバコの火を消すことができ、その上で、灰皿本体の掃除を容易とし、かつ悪臭の発生の抑制を実現することができる。
【０００８】
また、請求項２の考案によれば、貯水槽が着脱可能であるので、中の火消し水を捨てたりすることや貯水槽を掃除したりすること、さらには、貯水槽の交換等を容易に行うことができる。
【０００９】
請求項３によれば、火が点いた状態で灰皿本体に捨てられるとこれを消火するのが閉鎖部の存在によって難しい灰皿においても、タバコの火を確実に消すことが実現できる。
また、請求項４によれば、貯水槽が閉鎖部に備えてあるので、喫煙者に対して貯水槽の水でタバコの火を消すことを一目で理解させることができる。
また、請求項５の考案によれば、閉鎖部に対する貯水槽の着脱を具体的に実現することができる。
また、請求項６の考案によれば、鍔部が嵌合孔周りに引っ掛かることによって、貯水槽を閉鎖部に保持するので、極めて簡単な構造で保持でき、たとえば、嵌合孔の径を貯水槽の径よりも大径にして、嵌合孔に対する貯水槽の抜き挿しを抵抗無く行えるようにすることができる。
また、請求項７の発明によれば、鍔部上面と閉鎖部上面とが同面となるので、一見すれば、従来の外観形状と変わらないものであるが、タバコの火を確実に消すことができる構造の備えながらも、灰皿を重ねて仕舞う際において効果的である。
また、貯水槽に把手が設けられているので、貯水槽の着脱や運搬を極めて容易に行うことができる。
【考案を実施するための最良の形態】
【００１０】
以下、本考案の実施の形態を図面に基づいて説明する。
本考案の灰皿１は、主に、工事現場やイベント会場、または運動施設等に設置される仮設のものを例示する。
【００１１】
灰皿１は、各種食品缶や灯油缶等に用いられる金属製の角柱状の缶を用いてなるものであり、基本的には、上方が開口された灰皿本体２と、当該灰皿本体２の開口部２１を閉鎖するとともに、灰皿本体２と連通する火消し孔３１が複数開孔された閉鎖蓋３とを備えた周知のものである。
前記閉鎖蓋３は、四方の側壁３２の縁部を上向とした略皿状のものであり、前記灰皿本体２の開口部２１に着脱可能に嵌合されている。
【００１２】
閉鎖蓋３には、火消し水を入れる貯水槽４が着脱可能に備えられている。
貯水槽４は、略円筒状をなし、その開口部４１の縁部には、円盤状の鍔部４２が外側に張り出すように形成され、当該鍔部４２には、把手４３が備えられている。
把手４３は、たとえば、バケツの把手のように、傾倒可能に設けられており、閉鎖蓋３に取付けている状態では、把手４３を倒し（図２において実線で現す）、閉鎖蓋３を着脱する際には把手４３を起こすようにされている。
【００１３】
次に、貯水槽４の閉鎖蓋３に対する着脱構造を説明する。
閉鎖蓋３の中心部には、貯水槽４を嵌合するための嵌合孔３４が開孔されている。
また、嵌合孔３４は、その周りの閉鎖蓋３の上面を、前記鍔部４２の厚みと同じ深さ、かつ同じ径とする段部３５の底部中心に、前記貯水槽の径よりも大径、かつ前記鍔部４２よりも小径として開孔されている。
このようにした嵌合孔３４に、前記貯水槽４を取付ける際には、前記鍔部４２が段部３５に対して適合状に嵌合させることによって、貯水槽４の開口部４１が灰皿１の外側に露出し、しかも、閉鎖蓋３と同面で、閉鎖部３に対してずれることなく保持される。
また、閉鎖蓋３から取外す際には、前記把手４３を起こし、これを持って上方に引き上げれば取外すことができる。
【００１４】
なお、本考案は、前記した実施の形態の構成に限定するものではなく、実用新案登録請求の範囲の各項に記載された内容から逸脱しない範囲での実施が可能である。
また、本実施の形態では、主に屋外で使用される仮設の灰皿を例示したが、本考案は、例示した灰皿に限定するものではなく、家庭用や屋内用等に用いられるすべての灰皿に適用できるものである。
【図面の簡単な説明】
【００１５】
【図１】本考案に係る灰皿の一例を示す斜視図。
【図２】図１の（２）‐（２）線断面図。
【符号の説明】
【００１６】
１：灰皿
２：灰皿本体
２１：開口部
３：閉鎖蓋
３１：火消し孔
３２：嵌合孔
３３：段部
４：貯水槽
４１：開口部
４２：鍔部
４３：把手
【図１】
0003103401.tif 000003
【図２】
0003103401.tif 000004